(57)【特許請求の範囲】
【請求項１】
携帯電話、ＭＰ３プレーヤ又はＰＤＡのような通信及びエンターテイメント技術の分野において使用されるモバイル端末を充電するための変圧器（１）であって、
第１のハウジング構成部分（２）と第２のハウジング構成部分（６）とを備えるハウジング（１２）を具備し、
前記第１のハウジング構成部分（２）は、電源に対し差し込み方向（Ｓ）に接続可能な電源プラグピン（３）と変圧回路が組み込まれた電源プラグボディ（４）とを含む電源プラグ（３，４）及びフォーク状端部（５）を有し、
前記第２のハウジング構成部分（６）は、その本体部（７）に前記モバイル端末に接続可能な端末プラグ（８）を有すると共に、前記モバイル端末を挿入方向（Ｅ）に収容するためのＵ字形の受容手段（９）として構成されており、
前記第１のハウジング構成部分（２）は、前記フォーク状端部（５）に配設された回転案内手段（１０）により、前記第２のハウジング構成部分（６）に可動的に結合されており、
前記第１及び第２のハウジング構成部分（２，６）は、運搬位置と第１の充電位置と
第２の充電位置との間で相対的に移動可能であり、
前記運搬位置は、前記第１のハウジング構成部分（２）が前記端末プラグ（８）を保護するように包囲すると共に、前記第２のハウジング構成部分（６）が前記第１のハウジング構成部分（２）の前記電源プラグ（３，４）を保護するように包囲する、前記第１と第２のハウジング構成部分（２，６）が互いに折り畳まれた位置であり、
前記第１の充電位置は、前記挿入方向（Ｅ）と前記差し込み方向（Ｓ）とが、互いに略平行して配向される位置であり、
前記第２の充電位置は、前記挿入方向（Ｅ）と前記差し込み方向（Ｓ）とが、互いに略横断的に配向される位置であって、
前記運搬位置において前記変圧器によって占められる空間は、前記各充電位置において前記変圧器によって占められる空間よりも小さく構成されることを特徴とする変圧器。
【請求項２】
前記回転案内手段（１０）が、少なくとも２つのロッキング位置を規定していることを特徴とする請求項１に記載の変圧器。
【請求項３】
前記電源プラグ（３，４）及び前記端末プラグ（８）が、前記第１の充電位置において互いに整列するように形成されることを特徴とする請求項１または２に記載の変圧器。
【請求項４】
前記第２の充電位置において、前記電源プラグ（３，４）が前記端末プラグ（８）から略９０°の角度を成して延伸することを特徴とする請求項１〜３の何れか１項に記載の変圧器（１）。
【請求項５】
前記回転案内手段（１０）が、前記第１及び第２のハウジング構成部分（２，６）を導電的に連結することを特徴とする請求項１〜４の何れか１項に記載の変圧器。
【請求項６】
前記電源プラグ（３，４）が、種々の国の特定電源ソケットと使用可能であるように、前記変圧器（１）との使用で交換可能なように配設されることを特徴とする請求項１〜５の何れか１項に記載の変圧器。
【請求項７】
前記端末プラグ（８）が、前記変圧器（１）に交換可能に配置されていることを特徴とする請求項１〜６の何れか１項に記載の変圧器。
【請求項８】
前記運搬位置において、前記挿入方向（Ｅ）と前記差し込み方向（Ｓ）とが互いに略平行に延伸することを特徴とする請求項１〜７の何れか１項に記載の変圧器。
【請求項９】
前記第１のハウジング構成部分（２）は、前記運搬位置において前記端末プラグ（８）を保護するための凹所（１１）を備えていることを特徴とする請求項１〜８の何れか１項に記載の変圧器。
【発明の詳細な説明】
【技術分野】
【０００１】
本発明は、携帯電話、ＭＰ３プレーヤ又はＰＤＡのような通信及びエンターテイメント技術の分野において使用されるモバイル端末を充電するための変圧器に関し、第１のハウジング構成部分と第２のハウジング構成部分とを備えるハウジングを具備し、前記第１のハウジング構成部分は電源に接続可能な電源プラグピンと変圧回路が組み込まれた電源プラグボディとを含む電源プラグを有し、前記第２のハウジング構成部分は端末に接続可能な端末プラグを有するとともに端末を収容する受容手段を構成し、前記第１のハウジング構成部分と前記第２のハウジング構成部分とが案内手段によって可動的に結合されている変圧器に関し、運搬位置から充電位置へ移動させられるようになっている変圧器に関する。    
【背景技術】
【０００２】
通信及びエンターテイメント技術の分野において使用される最新モバイル端末、特にＭＰ３プレーヤ、携帯電話、ＰＤＡ（パーソナル・デジタル・アシスタンツ）等は、電源独立形式で作動可能なように電流貯蔵蓄電池ユニットが設けられている。時々、これらのモバイル端末は、前記蓄電池ユニットを充電するために電圧源に接続されなければならない。利用可能な電源電圧は、前記蓄電池ユニットを充電するために必要な充電電圧と異なるので、前記電源電圧を前記充電電圧に変換するために変圧器が使用されなければならない。この変圧器は、前記電圧源への接続用設備と、充電される前記モバイル端末への接続用の別の接続設備とを有していなければならない。
【０００３】
従来技術は、モバイル端末への充電及び電流供給のための様々な変圧器を開示している。
【０００４】
最も頻繁に使用される変圧器は、二次ケーブルを介して前記端末に接続される差し込み式電源ユニットである。幾つかの変圧器の場合、変圧回路が電源プラグのハウジングに組み込まれている。従来技術において、この変圧器回路の二次側が、差し込み式ケーブルを介して前記端末に接続される。
【０００５】
この実施態様は、前記ケーブルの長さのために前記二次側において大きな電圧損失が生じる限りにおいて不利であり、このような電圧損失は、最新の端末において望ましくない。この欠点を排除するために、特許文献１は、その中に変圧器回路が、端末プラグ付の剛性構造ユニットを画成する装置を開示している。これにより前記二次ラインの長さは、可能な限り短く保たれる。次いで、前記構造ユニットは、前記変圧器回路の一次側におけるケーブルを介して電圧源に接続される。
【０００６】
従来技術から知られる各種変圧器は、その構造的形状が運搬に扱い難いものである限り問題がある。モバイル端末用の変圧器は、それ自体が端末のように、いつでも充電されることができるように頻繁に運搬される。従って、容易に運搬されることができる構造的形状が重要である。特許文献２において、折り畳み可能な電源プラグピンを備えることによって変圧器の扱い易さを向上させる試みがなされているが、接続ケーブルにより前記変圧器は依然として運搬のためにはあまり扱い難いので、成功は初歩的なものに過ぎない。
【０００７】
更に、既知の変圧器を作動させる場合、前記端末が配置される特定の場所がないという問題が生じる。前記端末は、前記変圧器が接続されるように電源ソケットの近傍に配置されなければならない。
【０００８】
上記２つの問題点の解決へのアプローチは特許文献３によって提供され、この特許文献は、最も近い従来技術を構成する。この特許文献は、携帯電話用携帯充電手段を記載していて、その場合、電源ユニット、ライン、プラグ及び携帯電話のための接続部が、ハウジング付の１つのメインボディを形成するように組み合わされる。前記メインボディは、その上面に接続部を有し、この接続部に前記携帯電話が安定して配置される。前記特許文献３において、前記携帯充電手段は、充電位置から運搬位置へ移される。前記運搬位置において、前記携帯充電手段の前記ハウジングは、必要であれば、前記携帯充電手段を保護及び一層持ち運び易くするように別の保護カバーを取り付けている。しかしながら、前記携帯充電手段は、その寸法が前記運搬位置において取り付けられる前記保護カバーによって更に増大するので、その寸法によって扱い難い。
【特許文献１】欧州特許第１０６０５５９号明細書
【特許文献２】米国特許第６４６２９７５号明細書
【特許文献３】独国実用新案第２０２１１１３２号明細書
【発明の開示】
【発明が解決しようとする課題】
【０００９】
この従来技術を念頭に入れて、本発明の目的は、従来技術より知られている変圧器の充電中及び特に運搬中における取扱い易さを向上させることにある。
【課題を解決するための手段】
【００１０】
本発明は、携帯電話、ＭＰ３プレーヤ又はＰＤＡのような通信及びエンターテイメント技術の分野において使用されるモバイル端末を充電するための変圧器であって、第１のハウジング構成部分と第２のハウジング構成部分とを備えるハウジングを具備し、前記第１のハウジング構成部分は、電源に対し差し込み方向に接続可能な電源プラグピンと変圧回路が組み込まれた電源プラグボディとを含む電源プラグ及びフォーク状端部を有し、前記第２のハウジング構成部分は、その本体部に前記モバイル端末に接続可能な端末プラグを有すると共に、前記モバイル端末を挿入方向に収容するためのＵ字形の受容手段として構成されており、前記第１のハウジング構成部分は、前記フォーク状端部に配設された回転案内手段により、前記第２のハウジング構成部分に可動的に結合されており、前記第１及び第２のハウジング構成部分は、運搬位置と第１の充電位置と第２の充電位置との間で相対的に移動可能であり、前記運搬位置は、前記第１のハウジング構成部分が前記端末プラグを保護するように包囲すると共に、前記第２のハウジング構成部分が前記第１のハウジング構成部分の前記電源プラグを保護するように包囲する、前記第１と第２のハウジング構成部分が互いに折り畳まれた位置であり、前記第１の充電位置は、前記挿入方向と前記差し込み方向とが、互いに略平行して配向される位置であり、前記第２の充電位置は、前記挿入方向と前記差し込み方向とが、互いに略横断的に配向される位置であって、前記運搬位置において前記変圧器によって占められる空間は、前記各充電位置において前記変圧器によって占められる空間よりも小さく構成されることにより、この目的を達成する。
【００１１】
本発明によるこの解決手段は、前記運搬位置における前記変圧器の寸法が、前記充電位置における寸法よりも著しく小さいという利点を有する。従って、前記変圧器は、容易に手荷物に収納される、更に例えばズボンのポケットに入れても運搬可能である。
【００１２】
このような改良された変圧器の性能は、種々相互に独立した改良によって改良され、各改良は夫々有利なものであり、且つ以下に説明される。
【００１３】
前記回転案内手段は、有利な更なる改良に基づき少なくとも２つのロッキング位置を規定している。従って、前記第２のハウジング構成部分に対する前記第１のハウジング構成部分の各固定位置を規定することができ、このことは、前記変圧器の種々異なる作業及び充電位置に適応可能にさせる。
【００１４】
前記第１のハウジング構成部分と前記第２のハウジング構成部分との間の前記回転案内手段によって、前記各ハウジング構成部分は、互いに相対的に種々異なる角度位置へ移される。
【００１５】
前記第２のハウジング構成部分が、前記運搬位置において前記電源プラグを包囲し、且つ前記充電位置において前記端末を収容するように形成されるので、前記第２のハウジング構成部分は、前記第１のハウジング構成部分と前記電源プラグの夫々の保護ケーシングとして作用する。前記第２のハウジング構成部分は、特に前記電源プラグの各電源プラグピンをカバーすることができるので、これらの前記各電源プラグピンが運搬中の捕捉又は破損が防止される。前記変圧器は、前記運搬位置を占めている時、例えば洋服のポケットに入れて容易に運搬されるように、略矩形の平行六面体の形状を有するように形成される。前記各ハウジング構成部分は前記第１の充電位置とは異なる互いに相対的に占める第２の充電位置へ前記変圧器を可動的にする。種々異なる充電位置に基づき前記変圧器は、前記電源ソケットの種々異なる位置に適応される。例えば、１つの充電位置は壁付ソケットで充電するために使用され、別の充電位置は、テーブルソケットで充電するために使用される。両充電位置は、各ロッキング位置によって固定される。
【００１６】
前記受容手段はＵ形状に形成され、前記端末が充電の目的で挿入方向に挿入される。前記変圧器に前記回転案内手段が設けられているので、前記電源プラグが前記電源ソケットに差し込まれる差込方向に対する挿入方向の角度は、変更することができる。
【００１７】
例えば、前記第１のハウジング構成部分は、前記運搬位置で前記第２のハウジング構成部分内へ折り畳まれ、前記ハウジング構成部分の間の角度が約０°であり、これは、運搬のための前記変圧器の有利な寸法を提供する。前記運搬位置において、前記挿入方向と前記差し込み方向とが互いに略平行に延伸する。
【００１８】
前記電源プラグ及び前記端末プラグは、前記第１の充電位置において互いに整列するように形成される。前記第１の充電位置において、前記各ハウジング構成部分は、互いに約１６５°〜１９５°の範囲の角度、好ましくは約１８０°の角度で位置決めされ、この場合、前記変圧器は、例えばテーブルソケットにおける充電に特に適し、前記挿入方向及び前記差し込み方向は、この場合、略平行に向けられる。更に、前記第２の充電位置において、前記電源プラグは前記端末プラグから略９０°の角度を成して延伸する。この場合、前記変圧器は、例えば壁付ソケットにおける操作に特に適している。前記挿入方向及び前記差し込み方向は、この場合互いに略横断的に向けられる。
【００１９】
別の改良に基づき、前記第１のハウジング構成部分は、前記運搬位置で前記端末プラグを保護するように包囲し、且つ前記充電位置で前記電源ソケットに挿入されるように形成される。例えば、前記第１のハウジング構成部分は、前記運搬位置において前記端末プラグを保護するための凹所を備えている。
【００２０】
前記回転案内手段は、前記第１及び第２のハウジング構成部分を導電的に連結することができる。この実施態様は、例えば外部へ延伸する付加的なケーブルを排除することができるので有利である。
【００２１】
別の有利な更なる改良によれば、前記電源プラグは、種々の国の特定電源ソケットと使用可能であるように、前記変圧器との使用で交換可能なように配設される。又は、自動車におけるソケットに適応するように様々な形式で形成される。従って、本発明による変圧器は、多くの場所で使用される。
【００２２】
前記変圧回路は、前記第１のハウジング構成部分に組み込まれているので、特定の大きなスペースが節約される。
【００２３】
前記第１のハウジング構成部分は、フォーク状の構造設計を有し、前記第２のハウジング構成部分の旋回部分は、フォーク状端部の領域に配置される。前記フォーク状の構造設計により、幅広の端末も、受容手段として形成された前記第２のハウジング構成部分に挿入される。これは、前記変圧器の全体寸法を縮小させる。
【００２４】
前記端末プラグは、前記変圧器に交換可能に配置されている。特に、前記第２のハウジング構成部分を前記第１のハウジング構成部分とは独立して形成することができ、前記第２のハウジング構成部分を様々な前記端末プラグに適応させることができる。従って、本発明は多くの端末製造者によって使用されることができ、その場合、前記第２のハウジング構成部分のみが交換されればよいのに対し、前記第１のハウジング構成部分は、生産ライン全体のために使用される。
【発明を実施するための最良の形態】
【００２５】
以下に添付の図面を参照しながら本発明の実施態様例を説明する。種々異なる特徴は、個々の有利な実施態様に関連して既に前に説明したように、互いに独立して組み合わされることができる。
【００２６】
先ず始めに、本発明に基づく変圧器１の概略的な構成が、図１を参照して記述される。
【００２７】
前記変圧器１は、電源電圧源への接続用の２本の電源プラグピン３と、この場合、６角形状の電源プラグボディ４とを有する第１のハウジング構成部分２から成る。前記第１のハウジング構成部分２は、その内部に電圧変成回路、例えば変圧器が設けられる電源プラグボディ４を画成する。前記電源プラグ３、４は、電源ソケット中に差し込み方向Ｓに挿入される。
【００２８】
前記各電源プラグピン３と前記電源プラグボディ４から成る電源プラグは、それが適合される電源ソケットの型式に応じて種々の形態を採ることができる。図１に示す形態は、例えば、欧州で形成されているユーロ電源プラグ型を示す。その他の実施例は、例えば、米国あるいは中国プラグである。更に、前記各電源プラグピン３に加えて接地接触子を有する実施例もまた可能である。
【００２９】
前記第１のハウジング構成部分２は、前記第２のハウジング構成部分６への接続用の案内手段を備えている。図１において、前記案内手段は、ヒンジ形式の回転案内手段１０として形成される。前記第１のハウジング構成部分２は、前記回転案内手段１０によって前記第２のハウジング構成部分６に対し可動的に接続される。図１に典型として示したように前記第１のハウジング構成部分２は、前記電源プラグボディ４に引き続く部分でフォーク状に形成される。前記回転案内手段１０は、前記第１のハウジング構成部分２の各フォーク状端部５に且つ前記各ハウジング構成部分２，６が互いに固定されるロック位置に配設される。
【００３０】
前記第２のハウジング構成部分６は、それを介して前記第２のハウジング構成部分６が前記第１のハウジング構成部分２に対し可動的に接続される案内手段を備えた躯体部７から成る。図１において、前記案内手段は、回転案内手段１０として典型として形成されている。前記躯体部７は、前記変圧器１に端子を接続するための端子プラグ８をその上に備えている。図１において、前記端子プラグ８は、前記躯体部７から突出する同軸プラグの形状で典型として形成される。前記端子プラグ８は、前記変圧器１が多種の端子に適合可能なように種々の形態で形成される。前記変圧器１が、前記各端子に種々の接続を提供する多くの端子メーカによって使用されることは当然である。
【００３１】
前記第２のハウジング構成部分６は、更に受容手段９を画成する。前記受容手段９は、端子プラグ８に取り付けられる端子を保持するように受容する機能を有する。図１から明らかなように、前記受容手段９は、前記端子が挿入方向Ｅに挿入されるように溝として形成される。前記受容手段９は、対象とする端子に応じて種々の形態を採る。図１において、前記受容手段９は、薄肉のＵ字形トレーとして形成される。
【００３２】
前記第２のハウジング構成部分６は、前記第１のハウジング構成部分２から分離可能で、それによって前記第２のハウジング構成部分６は、容易に取り替え可能である。このことは前記第２のハウジング構成部分６における磨耗に特に必要となる。更に、このことはまた前記第２のハウジング構成部分６の種々の実施態様が前記第１のハウジング構成部分２に接続される、例えば、前記第１のハウジング構成部分２が異なった端子のために使用されることを可能にする。
【００３３】
図１において、前記変圧器１は、第１の充電位置に典型として示されている。前記第１の充電位置は、前記電源プラグを具備する前記第１のハウジング構成部分２が前記端子プラグ８を具備する前記第２のハウジング構成部分６と回転案内手段１０に対して約１６５°〜１９５°の範囲、好ましくは約１８０°の角度で位置合わせされるように図１に示される。前記挿入方向Ｅと前記差し込み方向Ｓは互いに略平行である。図示した位置で、前記変圧器１は、例えば水平方向に延伸するソケット、所謂テーブルソケットで作動可能である。
【００３４】
図２において、前記変圧器１が、典型として第２の充電位置に示されている。この第２の充電位置において、前記変圧器１は、その位置が前記第１の充電位置のそれからずれた電源ソケット中に挿入される。また、この充電位置において、前記第２のハウジング構成部分６は、前記端末を受容するのに適した位置を占めている。図２に典型として示される前記第２の充電位置において、前記第１のハウジング構成部分２及び前記第２のハウジング構成部分６は、約７５°〜９０°の角度で配設され、しかし好ましくは互いに略直角に配置され、前記挿入方向Ｅと前記差し込み方向Ｓは、互いに略横断的に配向される。前記第２の充電位置において、前記電源プラグ３，４を具備する前記変圧器１は、垂直方向に延びた電源ソケット、所謂壁付ソケットに挿入される。この位置において、前記端末は、垂直の向きで前記端末プラグ８に取り付けられ、そして前記受容手段９によって保持される。前記充電位置のうちの１つにおける前記各ハウジング構成部分２，６の向きは、前記端末、例えば携帯電話の傾斜ディスプレイを一層容易に見ることができるように略直角な又は整列した向きからずらすことが可能である。
【００３５】
図３において、前記変圧器１が、典型として運搬位置に示されている。この運搬位置で、前記各ハウジング構成部分２，６は、前記変圧器１によって占められる空間が可能な限り小さい、理想的変圧器運搬位置を占めるように互いに位置決めされる。図３に示された実施例において、前記各ハウジング構成部分２，６は、互いに約０°の角度で位置決めされ、従って、互いに折り畳まれている。前記挿入方向Ｅと前記差し込み方向Ｓは、互いに略平行に延伸する。この位置において、前記変圧器１の寸法は縮小され、前記変圧器１は略矩形の平行六面体の形状を有し、前記各電源プラグピンは前記第２のハウジング構成部分６から著しく突出することがないか又は前記第２のハウジング構成部分６の内部全域に延伸する。従って、前記変圧器１の外形は、運搬という目的のために特に有利である。
【００３６】
前記受容手段９が図１においてＵ字形であるので、前記受容手段９は、スペース節約的に前記第１のハウジング構成部分２を保護するように包囲する。
【００３７】
図３に示された典型的な図において、前記端末プラグ８は、前記運搬位置における前記第１のハウジング構成部分２によって保護される。前記端末プラグ８は極めて敏感であり、保護されていないと、運搬中に容易に破損するおそれがある。例えば図３に示された前記変圧器１の場合、このような保護は、前記第１のハウジング構成部分２における凹所１１によって達成される。この凹所１１は、前記運搬位置において前記端末プラグ８を保護するように包囲する。
【００３８】
前記各ハウジング構成部分２，６は、１つのハウジング１２を形成するように前記回転案内手段１０によって連結され、前記運搬位置及び前記充電位置の夫々において、各ロッキング位置によって互いに固定される。
【００３９】
前記第１のハウジング構成部分２と前記第２のハウジング構成部分６との間に設けられた前記回転案内手段１０は、少なくとも前記各充電位置において、前記変圧回路（図示せず）を介して前記電源プラグ３から流れる電流を前記端末プラグ８に伝達する。このことは、前記回転案内手段１０の一方の側における導電性ワイピングコンタクトディスク（図示せず）によって行われることができる。従って、前記変圧器１の外部の付加的なケーブルが不要である。これは、前記変圧器１の故障を生じさせるようなケーブルの破損を回避する。
【図面の簡単な説明】
【００４０】
【図１】本発明による変圧器の第１の充電位置における一実施態様を概略的に示す斜視図である。
【図２】本発明による変圧器の第２の充電位置における他の実施態様を概略的に示す斜視図である。
【図３】本発明による変圧器の運搬位置における一実施態様を概略的に示す斜視図である。
【符号の説明】
【００４１】
１ 変圧器、２ 第１のハウジング構成部分、３、４  電源プラグ、 ３  電源プラグピン、４ 電源プラグボディ、 ５ フォーク状端部、 ６ 第２のハウジング構成部分、 ７ 躯体部、 ８端末プラグ、 ９ 受容手段、１０ 回転案内手段、 １１ 凹所
【図１】
0004263112.tif 000002
【図２】
0004263112.tif 000003
【図３】
0004263112.tif 000004